(57)【特許請求の範囲】
【請求項１】
ディスクロータの一側部に配置され、ピストンを収容するシリンダ孔を備えた作用部と、前記ディスクロータの他側部に配置され、反力爪を備えた反作用部とをブリッジ部で連結してキャリパボディを形成し、該キャリパボディを、前記ディスクロータの一側部で車体に固設するキャリパブラケットに一対のスライドピンを介してディスク軸方向にスライド可能に支持すると共に、前記ディスクロータを挟んで配置した一対の摩擦パッドと前記ブリッジ部との間にパッドスプリングを配置した車両用ディスクブレーキにおいて、前記パッドスプリングは、前記一対の摩擦パッドと前記ブリッジ部との間に配置され、前記一対の摩擦パッドをディスク半径方向内側に押圧する本体部と、作用部側の前記摩擦パッドに当接して、制動解除時に前記作用部側の前記摩擦パッドを反ディスクロータ側に押圧するパッド戻し部とを一体に備え、前記パッド戻し部は、前記本体部のディスク周方向両端部から反ディスクロータ側に延出させた延出片を折曲して形成されるとともに、前記本体部のディスク周方向の中央部を通るディスク軸方向線に対して対称形状に形成されることを特徴とする車両用ディスクブレーキ。
【請求項２】
前記本体部は、前記作用部側の前記摩擦パッドと前記ブリッジ部との間に配置される作用部側スプリング部と、前記反作用部側の前記摩擦パッドと前記ブリッジ部との間に配置される反作用部側スプリング部とを備え、該反作用部側スプリング部のディスク周方向両端部に、ディスク半径方向内側に折り曲げられた折曲片がそれぞれ形成され、
前記各パッド戻し部は、前記折曲片から反ディスクロータ側に延出した前記延出片を前記折曲片の外側からディスク軸方向に円弧状に曲げ戻して形成される弾性ループ部と、該弾性ループ部から前記作用部側の前記摩擦パッドの前記ディスクロータの外周から外側に突出して配置される突出部に向けて延出する弾性片と、該弾性片の先端に形成され、前記突出部に当接する当接部とを備えていることを特徴とする請求項１記載の車両用ディスクブレーキ。
【請求項３】
前記摩擦パッドは、前記キャリパボディに懸架されるハンガーピンにそれぞれ吊持されると共に、前記パッド戻し部は、前記摩擦パッドに形成されたハンガーピン挿通孔よりもディスク半径方向内側に当接することを特徴とする請求項１または２記載の車両用ディスクブレーキ。
【請求項４】
前記パッド戻し部は、前記ハンガーピン挿通孔よりも前記摩擦パッドの中心側に当接することを特徴とする請求項３記載の車両用ディスクブレーキ。
【請求項５】
前記本体部は、ディスク半径方向内側に突出して、前記反作用部側の前記摩擦パッドのディスクロータ側面に当接して、前記反作用部側の前記摩擦パッドを支持する支持片が形成されていることを特徴とする請求項１乃至４のいずれか１項記載の車両用ディスクブレーキ。
【請求項６】
前記車両用ディスクブレーキが機械式ディスクブレーキであることを特徴とする請求項１乃至５のいずれか１項記載の車両用ディスクブレーキ。
【発明の詳細な説明】
【技術分野】
【０００１】
本発明は、車両用ディスクブレーキに関し、詳しくは、キャリパボディのブリッジ部と摩擦パッドとの間にパッドスプリングを配置した車両用ディスクブレーキに関する。
【背景技術】
【０００２】
従来、車両用ディスクブレーキでは、キャリパボディのブリッジ部と摩擦パッドとの間にパッドスプリングを配置して、摩擦パッドのガタ付きの抑制と、制動解除時の摩擦パッドの引き摺り防止とを図ったものがあった。このパッドスプリングとして、ディスク半径方向外側から、摩擦パッドの裏板に当接して、摩擦パッドのガタ付きを抑制する本体部と、摩擦パッドをディスクロータから離間させる方向に付勢するパッド戻し部とを板ばね材でそれぞれ形成し、これら板ばね材をリベットで連結して形成されたものがあった（例えば、特許文献１参照。）。また、ディスク半径方向外側から、摩擦パッドの裏板に当接して、摩擦パッドのガタ付きを抑制する作用部側スプリング部と反作用部側スプリング部と、反作用部側スプリング部の中間位置から、該反作用部側スプリング部と直交する方向に突出して、作用部側の摩擦パッドに弾性的に係合し、摩擦パッドの引き摺りを防止するパッド戻し部とを一体に設けたものがあった（例えば、特許文献２参照。）。
【先行技術文献】
【特許文献】
【０００３】
【特許文献１】特開平９−１１２５９９号公報
【特許文献２】実開平６−３２７７０号公報
【発明の概要】
【発明が解決しようとする課題】
【０００４】
しかし、上述の特許文献１のパッドスプリングは、２枚の板ばね材をリベットで連結して形成されることから、部品点数が多くなり、また、組み付け作業に手間が掛かることからコストが嵩んでいた。さらに、特許文献２のパッドスプリングは、一枚の板材から作用部側スプリング部と反作用部側スプリング部とパッド戻し部とを形成することができるものの、パッド戻し部は、弾発力を持たせるためにディスク半径方向外側に膨出する複数の弾性ループ部が設けられていることから、摩擦パッドとブリッジ部との間に所定のスペースを確保しなければならず、パッドスプリングやキャリパボディが大型化する虞があると共に組付に手間が掛かり、コストが嵩んでいた。
【０００５】
そこで本発明は、コストの低減化を図りながら、パッドスプリングで、摩擦パッドのガタ付きと制動解除時の摩擦パッドの引き摺りとを防止することができる車両用ディスクブレーキを提供することを目的としている。
【課題を解決するための手段】
【０００６】
上記目的を達成するため、本発明の車両用ディスクブレーキは、ディスクロータの一側部に配置され、ピストンを収容するシリンダ孔を備えた作用部と、前記ディスクロータの他側部に配置され、反力爪を備えた反作用部とをブリッジ部で連結してキャリパボディを形成し、該キャリパボディを、前記ディスクロータの一側部で車体に固設するキャリパブラケットに一対のスライドピンを介してディスク軸方向にスライド可能に支持すると共に、前記ディスクロータを挟んで配置した一対の摩擦パッドと前記ブリッジ部との間にパッドスプリングを配置した車両用ディスクブレーキにおいて、前記パッドスプリングは、前記一対の摩擦パッドと前記ブリッジ部との間に配置され、前記一対の摩擦パッドをディスク半径方向内側に押圧する本体部と、作用部側の前記摩擦パッドに当接して、制動解除時に前記作用部側の前記摩擦パッドを反ディスクロータ側に押圧するパッド戻し部とを一体に備え、前記パッド戻し部は、前記本体部のディスク周方向両端部から反ディスクロータ側に延出させた延出片を折曲して形成されるとともに、前記本体部のディスク周方向の中央部を通るディスク軸方向線に対して対称形状に形成されることを特徴としている。
【０００７】
また、前記本体部は、前記作用部側の前記摩擦パッドと前記ブリッジ部との間に配置される作用部側スプリング部と、前記反作用部側の前記摩擦パッドと前記ブリッジ部との間に配置される反作用部側スプリング部とを備え、該反作用部側スプリング部のディスク周方向両端部に、ディスク半径方向内側に折り曲げられた折曲片がそれぞれ形成され、前記各パッド戻し部は、前記折曲片から反ディスクロータ側に延出した前記延出片を前記折曲片の外側からディスク軸方向に円弧状に曲げ戻して形成される弾性ループ部と、該弾性ループ部から前記作用部側の前記摩擦パッドの前記ディスクロータの外周から外側に突出して配置される突出部に向けて延出する弾性片と、該弾性片の先端に形成され、前記突出部に当接する当接部とを備えていると好適である。
【０００８】
さらに、前記摩擦パッドは、前記キャリパボディに懸架されるハンガーピンにそれぞれ吊持されると共に、前記パッド戻し部は、前記摩擦パッドに形成されたハンガーピン挿通孔よりもディスク半径方向内側に当接するとこのましく、また、前記ハンガーピン挿通孔よりも前記摩擦パッドの中心側に当接すると好適である。また、前記本体部は、ディスク半径方向内側に突出して、前記反作用部側の前記摩擦パッドのディスクロータ側面に当接して、前記反作用部側の前記摩擦パッドを支持する支持片が形成されていると好ましい。さらに、前記車両用ディスクブレーキが機械式ディスクブレーキであると良い。
【発明の効果】
【０００９】
本発明の車両用ディスクブレーキによれば、パッドスプリングは、摩擦パッドをディスク半径方向内側に押圧する本体部により、摩擦パッドのガタ付きを抑制することができると共に、制動解除時に、パッド戻し部が作用部側の前記摩擦パッドを反ディスクロータ側に押圧することにより、作用部側の摩擦パッドをディスクロータから離間させ、摩擦パッドの引き摺りを抑制することができる。また、パッドスプリングは、本体部とパッド戻し部とが一体に形成されることから、製造コストの低減化を図ることができ、さらに、パッド戻し部は、本体部のディスク周方向両端部から反ディスクロータ側に延出させた延出片を折曲して形成されることにより、パッドスプリングのディスク軸方向の大きさを抑えることができ、キャリパボディが大型化する虞がない。
【００１０】
さらに、本体部の反作用部側スプリング部のディスク周方向両端部に、ディスク半径方向内側に折り曲げられる折曲片をそれぞれ形成し、各パッド戻し部は、折曲片から反ディスクロータ側に延出した延出片を折曲片の外側からディスク軸方向に円弧状に曲げ戻して形成される弾性ループ部と、弾性ループ部から作用部側の摩擦パッドのディスクロータの外周から外側に突出して配置される突出部に向けて延出する弾性片と、突出部に当接する当接部とで形成されることから、延出片を折曲することにより、パッド戻し部を簡単な形状で容易に形成することができ、組み付け性を向上させることもできる。
【００１１】
さらに、摩擦パッドをキャリパボディに懸架されるハンガーピンにそれぞれ吊持し、パッド戻し部を、摩擦パッドに形成したハンガーピン挿通孔よりもディスク半径方向内側に当接させることにより、摩擦パッドのスライド中心となるハンガーピン挿通孔の近傍をパッド戻し部で付勢することができ、制動解除時に、摩擦パッドをディスクロータから良好に離間させることができる。さらに、パッド戻し部をハンガーピン挿通孔よりも摩擦パッドの中心側に当接させることにより、摩擦パッドの重心に近い位置をパッド戻し部で付勢することができ、より良好に摩擦パッドをディスクロータから離間させることができる。また、パッド戻し部を、本体部のディスク周方向の中央部を通るディスク軸方向線に対して対称形状に形成したことにより、パッド戻し部で摩擦パッドのディスク回入側と回出側とをバランス良く付勢することができる。
【００１２】
さらに、本体部に、ディスク半径方向内側に突出し、反作用部側の摩擦パッドのディスクロータ側面に当接して、反作用部側の前記摩擦パッドを支持する支持片を形成したことにより、制動解除時に、パッド戻し部が作用部側の摩擦パッドを反ディスクロータ側に押圧することにより発生する反力を、支持片を介して反作用部側の摩擦パッドに伝達することができ、反作用部側の摩擦パッドもディスクロータから良好に離間させることができる。また、車両用ディスクブレーキが機械式ディスクブレーキであることにより、少ない部品で摩擦パッドのガタ付きを抑制できると共に、制動解除時に摩擦パッドをディスクロータから離間させることができる。
【図面の簡単な説明】
【００１３】
【図１】図４のＩ−Ｉ断面図である。
【図２】本発明の一形態例を示す車両用ディスクブレーキの一部断面背面図である。
【図３】図４のＩＩＩ−ＩＩＩ断面図である。
【図４】本発明の一形態例を示す車両用ディスクブレーキの正面図である。
【図５】同じく車両用ディスクブレーキの平面図である。
【図６】本発明の一形態例を示すパッドスプリングの斜視図である。
【発明を実施するための形態】
【００１４】
図１乃至図６は本発明の車両用ディスクブレーキの一形態例を示す図で、矢印Ａは、車両前進時に車輪と一体に回転するディスクロータの回転方向であり、以下で述べるディスク回出側及びディスク回入側とは車両前進時におけるものとする。
【００１５】
本形態例のディスクブレーキ１は、ディスクロータ２と、該ディスクロータ２の一側部で車体に取り付けられるキャリパブラケット３と、該キャリパブラケット３にスライドピン４，４を介してディスク軸方向へ移動可能に支持されるピンスライド型のキャリパボディ５と、該キャリパボディ５の作用部５ａと反作用部５ｂの間に、ディスクロータ２を挟んで対向配置される一対の摩擦パッド６，７とを備え、摩擦パッド６，７とキャリパボディ５のブリッジ部５ｃとの間にはパッドスプリング８が配置されている。
【００１６】
キャリパボディ５は、ディスクロータ２の一側部に配置される前記作用部５ａと、ディスクロータ２の他側部に配置される前記反作用部５ｂと、これらをディスクロータ２の外側を跨いで連結する前記ブリッジ部５ｃとからなっている。作用部５ａには、ディスク回入側と回出側から、一対の取付腕５ｄ，５ｄがディスクロータ２の一側面と平行に突設され、該取付腕５ｄ，５ｄに、キャリパブラケット３に突設された前記スライドピン４，４を挿通させるピン挿通孔５ｅがそれぞれ形成されている。また、作用部５ａの反ディスクロータ側のディスク回出側には、ワイヤガイドアーム５ｆが突設されるとともに、内部には、シリンダ孔５ｇと軸受孔５ｈとが形成されている。シリンダ孔５ｇは、ディスク軸方向に形成され、ディスクロータ２側に開口し、ピストン９が移動可能に内挿されている。軸受孔５ｈは、シリンダ孔５ｇの底部側で、一端を作用部５ａの外面に開口させて、シリンダ孔５ｇと直交して設けられた有底孔で、カム軸１０が回動可能に内挿されており、カム軸１０とピストン９との間にプッシュロッド１１が介装されている。カム軸１０の外端部１０ａは、軸受孔５ｈから上方へ突出し、この外端部１０ａに作動レバー１２がボルト１３と座金１４とを用いて取り付けられ、また、外端部１０ａの外周には、リターンスプリング１５が設けられている。
【００１７】
リターンスプリング１５は、コイル部１５ａを前記外端部１０ａに外挿し、コイル部１５ａから突出する一端部を作用部５ａの外面に、他端部を作動レバー１２にそれぞれ当接させることにより、作動レバー１２はリターンスプリング１５によって非作動方向に付勢される。作動レバー１２の先端側にはワイヤケーブル１６が連結され、該ワイヤケーブル１６は、ワイヤガイドアーム５ｆを通して車体前部方向に取り回され、ブレーキペダル又は操作レバー等のブレーキ操作子（図示せず）に連結されている。また、反作用部５ｂには、反力爪５ｉがディスクロータ２の他側面と平行に設けられ、ブリッジ部５ｃの内壁のディスク周方向中央部には、パッドスプリング８を装着する装着溝５ｋがディスク軸方向に形成されている。
【００１８】
摩擦パッド６，７は、ディスクロータ２の側面と摺接するライニング６ａ，７ａを、金属製の裏板６ｂ，７ｂに固着して形成され、キャリパボディ５の作用部５ａと反作用部５ｂとの間に懸架される一対のハンガーピン１７，１７にそれぞれ吊持される。裏板６ｂ，７ｂは、ディスク半径方向内側に前記ライニング６ａ，７ａが取り付けられ、ディスクロータ２の外周から外側に突出して配置される突出部６ｃ，７ｃに、前記ハンガーピン１７，１７がそれぞれ挿通される。
【００１９】
パッドスプリング８は、１枚の板材を所定の形状に切断した後にプレス加工をすることにより形成され、摩擦パッド６，７をディスク半径方向内側に押圧する本体部８ａと、制動解除時に、作用部５ａ側の摩擦パッド６を反ディスクロータ側に押圧することにより、摩擦パッド６，７をディスクロータ２から離間させる一対のパッド戻し部８ｂ，８ｂとを備えている。
【００２０】
本体部８ａは、ブリッジ部５ｃに形成された前記装着溝５ｋに嵌入されるディスク軸方向の突条部８ｃを中央に備えた取付部８ｄと、取付部８ｄのディスク周方向両側部から、ディスク回入側とディスク回出側とに向けて延出し、作用部５ａ側の摩擦パッド６とブリッジ部５ｃとの間にそれぞれ配置される一対の作用部側スプリング部８ｅ，８ｅと、取付部８ｄのディスク周方向両側部から、ディスク回入側とディスク回出側とに向けてそれぞれ延出し、反作用部５ｂ側の摩擦パッド７とブリッジ部５ｃとの間に配置される一対の反作用部側スプリング部８ｆ，８ｆとを備えている。
【００２１】
各作用部側スプリング部８ｅは、取付部８ｄから漸次ディスク半径方向内側へ傾斜して延出し、作用部５ａ側の摩擦パッド６の突出部６ｃに当接する第１当接部８ｇと、該第１当接部８ｇからディスク半径方向外側に延出した後、突出部６ｃの側部に沿ってディスク半径方向内側に延出する第１外端部８ｈとを備えている。各反作用部側スプリング部８ｆは、取付部８ｄから漸次ディスク半径方向内側へ傾斜し、反作用部５ｂ側の摩擦パッド７の突出部７ｃに当接する第２当接部８ｉと、該第２当接部８ｉからディスク半径方向外側に延出した後、突出部７ｃの側部に沿ってディスク半径方向内側に延出する第２外端部８ｊと、該第２外端部８ｊからディスク半径方向内側に折り曲げられて突出する折曲片８ｋとを備えている。さらに、各反作用部側スプリング部８ｆの取付部８ｄと第２当接部８ｉとの間には、反作用部５ｂ側の摩擦パッド７の突出部７ｃのディスクロータ側面に当接して反作用部５ｂ側の摩擦パッド７を支持する支持片８ｍがそれぞれ形成されている。
【００２２】
各パッド戻し部８ｂは、折曲片８ｋの反ディスクロータ側面から、反ディスクロータ側に延出させた延出片８ｎを折曲して形成されるもので、反ディスクロータ側に延出した延出片８ｎを折曲片８ｋの外側からディスク軸方向に円弧状に曲げ戻して形成される弾性ループ部８ｐと、該弾性ループ部８ｐから作用部５ａ側の摩擦パッド６の突出部６ｃに向けて、ディスク軸方向に延出する弾性片８ｑと、該弾性片８ｑの先端に形成され、突出部６ｃに当接する第３当接部８ｒ（本発明の当接部）とを備えている。また、前記作用部側スプリング部８ｅ，８ｅと反作用部側スプリング部８ｆ，８ｆとパッド戻し部８ｂ，８ｂとは、本体部８ａのディスク周方向の中央部を通るディスク軸方向線ＣＬ１に対して対称形状にそれぞれ形成され、すなわち、突条部８ｃに対して対称形状にそれぞれ形成されている。
【００２３】
このように形成されたパッドスプリング８は、突条部８ｃをブリッジ部５ｃの装着溝５ｋに嵌入することによりキャリパボディ５に組み付けられ、各作用部側スプリング部８ｅの第１当接部８ｇが作用部５ａ側の摩擦パッド６の突出部６ｃのディスク半径方向外側面にそれぞれ当接し、各反作用部側スプリング部８ｆの第２当接部８ｉが反作用部５ｂ側の摩擦パッド７の突出部７ｃのディスク半径方向外側面にそれぞれ当接することにより、両摩擦パッド６，７をディスク半径方向内側に付勢する。さらに、各支持片８ｍが突出部７ｃのディスクロータ側面に当接して、反作用部５ｂ側の摩擦パッド７を支持する。また、各パッド戻し部８ｂは、第３当接部８ｒが、作用部５ａ側の摩擦パッド６の突出部６ｃに形成されたハンガーピン挿通孔６ｄよりもディスク半径方向内側で、且つ、ハンガーピン挿通孔６ｄよりも摩擦パッド６の中心側にそれぞれ当接している。
【００２４】
上述のように形成された本形態例のディスクブレーキ１では、ブレーキ操作子が操作されると、ワイヤケーブル１６が牽引され、作動レバー１２とカム軸１０とがリターンスプリング１５の弾発力に抗して一体に回転し、プッシュロッド１１がディスクロータ２方向へ押動される。これにより、ピストン９がディスクロータ２側に押動され、パッド戻し部８ｂ，８ｂの弾発力に抗して、作用部５ａ側の摩擦パッド６のライニング６ａをディスクロータ２の一側面へ摺接させる。この反作用によって、キャリパボディ５がスライドピン４，４に案内されながら作用部方向へスライドし、反力爪５ｉが、パッド戻し部８ｂ，８ｂの弾発力に抗して反作用部５ｂ側の摩擦パッド７のライニング７ａをディスクロータ２の他側面に摺接させて、制動作用が行われる。
【００２５】
このとき、摩擦パッド６，７は、作用部側スプリング部８ｅ，８ｅと反作用部側スプリング部８ｆ，８ｆとでディスク半径方向内側に付勢されていることから、摩擦パッド６，７のガタ付きを抑制することができる。さらに、制動解除時には、パッド戻し部８ｂ，８ｂが初期状態に復帰することにより、作用部５ａ側の摩擦パッド６をディスクロータ２から離間させると共に、この反力を支持片８ｍ，８ｍを介して反作用部５ｂ側の摩擦パッド７に伝達させ、反作用部側の摩擦パッド７もディスクロータ２から離間させ、摩擦パッド６，７の引き摺りを防止することができる。また、パッド戻し部８ｂ，８ｂは、第３当接部８ｒが、摩擦パッド６のハンガーピン挿通孔６ｄ，６ｄよりもディスク半径方向内側で、且つ、ハンガーピン挿通孔６ｄ，６ｄよりも摩擦パッド６の中心側にそれぞれ当接していることから、摩擦パッド６のスライド中心に近く、且つ、重心に近い位置をパッド戻し部８ｂ，８ｂで付勢することができ、摩擦パッド６，７を良好にディスクロータ２から離間させることができる。
【００２６】
さらに、パッドスプリング８は、本体部８ａとパッド戻し部８ｂ，８ｂとを、簡単な形状で一体に形成することができることからコストの削減化を図ることができる。また、パッドスプリング８は、各パッド戻し部８ｂを本体部８ａのディスク周方向両端部から反ディスクロータ側に延出させた延出片８ｎを折曲して形成したことにより、パッドスプリング８のディスク軸方向の大きさを抑えることができる。さらに、弾性ループ部８ｐが反作用部側スプリング部８ｆのディスク周方向両端部の外側に配置されることから、摩擦パッド６，７とブリッジ部５ｃとの間のスペースを小さく抑えることができ、ディスクブレーキ１が大型化する虞がない。
【００２７】
尚、本発明は上述の形態例に限るものではなく、液圧式のディスクブレーキにも適用することができる。また、摩擦パッドは、ハンガーピンで吊持するものに限らず、裏板に形成した耳片をキャリパブラケットに形成したパッドガイド溝に挿入するものでもよい。さらに、パッドスプリングの本体部の形状は任意であり、また、本体部やパッド戻し部が、本体部のディスク周方向の中央部を通るディスク軸方向線ＣＬ１に対して対称形状に形成されていなくても良い。また、ブリッジ部に形成した装着溝に、突条部を嵌入してパッドスプリングをブリッジ部に取り付けるものに限らず、装着溝に、パッドスプリングに設けた係合片を係合させてブリッジ部に取り付けるものでも良い。さらに、パッドスプリングに、反作用部側の摩擦パッドのディスクロータ側面に当接する支持片を設けていなくても良い。
【符号の説明】
【００２８】
１…ディスクブレーキ、２…ディスクロータ、３…キャリパブラケット、４…スライドピン、５…キャリパボディ、５ａ…作用部、５ｂ…反作用部、５ｃ…ブリッジ部、５ｄ…取付腕、５ｅ…ピン挿通孔、５ｆ…ワイヤガイドアーム、５ｇ…シリンダ孔、５ｈ…軸受孔、５ｉ…反力爪、５ｋ…装着溝、６，７…摩擦パッド、６ａ，７ａ…ライニング、６ｂ，７ｂ…裏板、６ｃ，７ｃ…突出部、６ｄ…ハンガーピン挿通孔、８…パッドスプリング、８ａ…本体部、８ｂ…パッド戻し部、８ｃ…突条部、８ｄ…取付部、８ｅ…作用部側スプリング部、８ｆ…反作用部側スプリング部、８ｇ…第１当接部、８ｈ…第１外端部、８ｉ…第２当接部、８ｊ…第２外端部、８ｋ…折曲片、８ｍ…支持片、８ｎ…延出片、８ｐ…弾性ループ部、８ｑ…弾性片、８ｒ…第３当接部、９…ピストン、１０…カム軸、１０ａ…外端部、１１…プッシュロッド、１２…作動レバー、１３…ボルト、１４…座金、１５…リターンスプリング、１５ａ…コイル部、１６…ワイヤケーブル、１７…ハンガーピン
【図１】
0006405131.tif 000002
【図２】
0006405131.tif 000003
【図３】
0006405131.tif 000004
【図４】
0006405131.tif 000005
【図５】
0006405131.tif 000006
【図６】
0006405131.tif 000007